(57)【要約】      （修正有）【課題】衛生マスクとポケットティッシュを分離して、衛生的に収納するマスク収納容器を提供する。【解決手段】出し入れ口２ａから衛生マスクを出し入れ可能なマスク収納部２と、このマスク収納部の前面に重なり合うポケットティッシュ収納部３とを有し、前記ポケットティッシュ収納部を構成するシートが蛇腹形状であると共に、その蛇腹の凹部にティッシュ取り出し口３ａを設ける。この取り出し口が、前記蛇腹形状の凸部の重なりにより外部に露出しない構成としてマスク収納容器を形成する。【選択図】図２
0003173184.tif 000002
【実用新案登録請求の範囲】
【請求項１】
出し入れ口から衛生マスクを出し入れ可能なマスク収納部と、
このマスク収納部の前面に重なり合うポケットティッシュ収納部とを有し、
前記ポケットティッシュ収納部を構成するシートが蛇腹形状であると共に、その蛇腹の凹部にティッシュ取り出し口を設け、
この取り出し口が、前記蛇腹形状の凸部の重なりにより外部に露出しない構成としたマスク収納容器。
【請求項２】
前記マスク収納部の前面が、動物の顔を模した形状をなし、
前記ポケットティッシュ収納部がマスクの形態を模した形状をなすことを特徴とする請求項１に記載のマスク収納容器。
【請求項３】
前記マスク収納部の後面に、小物収納部を設けたことを特徴とする請求項１または請求項２に記載のマスク収納容器。
【考案の詳細な説明】
【技術分野】
【０００１】
本考案は、衛生マスクとティッシュを分離して収納する容器に関する。
【背景技術】
【０００２】
風邪やインフルエンザの患者、又は花粉症の患者が外出する際、これらの患者は通常交換用のマスクとポケットティッシュ及び飲み薬等を携帯する。患者は、個々の衛生状態を保持するために特許文献１にあるように、衛生マスクやポケットティッシュ等をそれぞれフィルム状のシートで保護して手提げかばん等に入れているが、風邪等の症状が出ている状態で、手提げかばんの中からそれらを探し出すのは手間であると共に時間を要していた。また、フィルム状のシートは、一度開封すると取り出し口が開いたままになり、内部のポケットティッシュ等が外気にさらされ、衛生状態を保持することが困難であった。
【０００３】
マスク等を一括してポシェット等の袋体に入れておく場合もあるが、ティッシュペーパーや衛生マスクの破片が袋体の中に散らばったり、ティッシュペーパーを取る際に、不衛生な手が袋体の中に入り、袋体の中を衛生にしたまま保持できなかったりした。
【先行技術文献】
【特許文献】
【０００４】
【特許文献１】実用新案登録３１５６６９２号公報
【考案の概要】
【考案が解決しようとする課題】
【０００５】
本考案が解決しようとする問題点は、衛生マスクやポケットティッシュ等をそれぞれフィルム状のシートで保護して手提げかばん等に入れて場合に、手提げかばんの中からそれらを探し出す手間や時間が生じていたり、衛生状態を保持できなかったりしたという点であり、また一括してポシェット等の袋体に入れておく場合にも、袋体の中の衛生状態を保持できなかったという点である。
【課題を解決するための手段】
【０００６】
本考案は、請求項１記載のごとく、出し入れ口から衛生マスクを出し入れ可能なマスク収納部と、このマスク収納部の前面に重なり合うポケットティッシュ収納部とを有し、前記ポケットティッシュ収納部を構成するシートが蛇腹形状であると共に、その蛇腹の凹部にティッシュ取り出し口を設け、この取り出し口が、前記蛇腹形状の凸部の重なりにより外部に露出しない構成としたマスク収納容器である。
【０００７】
また、請求項２記載のごとく、前記マスク収納部の前面が、動物の顔を模した形状をなし、前記ポケットティッシュ収納部がマスクの形態を模した形状をなすことを特徴とする請求項１に記載のマスク収納容器である。
【０００８】
また、請求項３記載のごとく、前記マスク収納部の後面に、小物収納部を設けたことを特徴とする請求項１または請求項２に記載のマスク収納容器である。
【考案の効果】
【０００９】
請求項１の考案によれば、マスク収納部の前面に重なり合うティッシュ収納部とを有することで、一つの収納容器で、衛生マスクとティッシュを管理することができ、手提げかばん等の中でマスク等を個々に探す手間や時間を省略することができると共に、異なる収納部に別々に収納することで、これらの衛生状態を保持することが可能となる。
特に、ポケットティッシュ収納部を構成するシートが蛇腹形状であり、その蛇腹の凹部にティッシュ取り出し口を設け、この取り出し口が前記蛇腹形状の凸部の重なりにより外部に露出しない構成としたことにより、フィルム状のシート開封後にティッシュが外部と接触することを防止でき、その衛生状態を保持することがより容易となる。
【００１０】
請求項２の考案によれば、マスク収納部の前面が、動物の顔を模した形状をなし、前記ポケットティッシュ収納部がマスクの形態を模した形状をなすことにより、その外形のマスクをした動物の形状から、衛生用品の収納を行う収納容器という、この収納容器の用途が明確になり、かつ趣向性に富んだマスク収納容器を提供することができる。
【００１１】
請求項３の考案によれば、マスク収納部の後面に、小物収納部を設けたことにより、飲み薬や目薬のように、ティッシュやマスクと同時に携帯する小物についても一つの収納容器で管理することができるようになり、手提げかばん等の中でこれらを探す手間や時間を省略することができると共に、これらの衛生状態をそれぞれ保持することが可能となる。
【図面の簡単な説明】
【００１２】
【図１】本考案の第一実施形態に係るマスク収納容器の全体斜視図である。
【図２】図１のマスク収納容器における収納状態の断面図である。
【図３】図１のマスク収納容器における使用状態の断面図である。
【図４】別実施形態に係るマスク収納容器の正面図である。
【考案を実施するための形態】
【００１３】
以下、図１から図４を参照して本考案の詳細について説明する。
【００１４】
花粉症の人が、花粉を吸い込むのを防止したり、風邪やインフルエンザに罹患した人がウィルスを拡散させるのを防止したりするために用いる衛生マスクは、衛生上の観点から使い捨てのものが普及している。使い捨て衛生マスク１２の製造技術の進展等に伴い、これらの値段は一枚１０円未満となるものが販売され、その普及に拍車をかけているとともに、ガーゼマスクと比較して性能面も使い捨て衛生マスクが優れているとの報告もある。
【００１５】
これらの使い捨て衛生マスク１２のメーカーは、１２〜２４時間を目処にマスクを交換することを推奨しており一日一度を目処に交換する人が多いが、手術時のマスク等が一度使用した場合に廃棄になることを考慮すると、くしゃみや鼻水の症状が出ている人の場合は、衛生的に高頻度で交換をする必要があり、この場合複数の使い捨て衛生マスクを携帯している必要がある。
【００１６】
また、くしゃみや鼻水の症状が出ている人は、マスクに合わせてティッシュや飲み薬などを携帯する必要もある。これらマスクのような、衛生状態を保持する必要のある衛生管理品は、通常それぞれの品ごとに分別して管理する必要がある。本考案のマスク収納容器により、マスク等をそれぞれの品ごとに分別して管理することができると共に、これらを一つの収納容器でまとめることを可能とした。
【００１７】
図１に本考案の第一実施形態に係るマスク収納容器１の全体斜視図を、図２に図１のマスク収納容器１における収納状態の断面図を、図３にその使用状態の断面図を示す。代表的な使い捨て衛生マスク１２は、不織布を使用しており、蛇腹状に折り畳んだ状態で熱あるいは超音波などによって接着（溶着）加工して製作され、使用時にはその蛇腹を広げ、鼻から顎までを覆うようにして用いる。マスク収納容器１のマスク収納部２は、この使い捨て衛生マスク１２を折り曲げない状態で数枚収納できる大きさとし、概略２０ｃｍ×１５ｃｍ程度の広さを有する長方形の二枚のポリエステル地の布を縫製して製作する。ポリエステル地の布は、衛生面等を考慮してコーティングを施し、動物の顔の色彩に合わせた色とする。マスク収納部２の長方形の一辺は、使い捨て衛生マスク１２を出し入れ可能なようにファスナーを設け、マスク出し入れ口２ａとする。なお、マスク収納部２の布は、ポリエステル地に限定するものもではなく、キャンパス地のものを用いることも可能であるし、抗菌性能を有する光触媒などの特殊コーティングを行うことも可能である。
【００１８】
マスク収納部２の前面には、マスク収納部２に重なり合うようにポケットティッシュ収納部３を設ける。図１はポケットティッシュ収納部３からポケットティッシュ１３を取り出している状態を示している。このポケットティッシュ収納部３もマスク収納部２と同様に長方形の２枚のポリエステル地の布を縫製して製作し、縫製によりマスク収納部２と結合する。ただしポケットティッシュ収納部３を構成するシートの一枚は、使い捨て衛生マスク１２を模した、蛇腹状に折り畳んだシートを用いる。そして、この蛇腹の凹部の一部を切り裂いてポケットティッシュ１３を出し入れ可能とするポケットティッシュ取り出し口３ａとし、このティッシュ取り出し口３ａが蛇腹の凸部の重なりにより外部に露出しない構成とする。
【００１９】
使い捨て衛生マスク１２の蛇腹形状が熱などにより接着加工して製作されるのと同様に、ポケットティッシュ収納部３の蛇腹形状を製作することもできるが、通常はポリエステル地の布を縫製することにより製作する。ポケットティッシュ収納部３のポリエステル地の布も、衛生面を考慮してコーティングを施し、使い捨て衛生マスク１２を模した白色とする。なお、ポケットティッシュ収納部３の布も、ポリエステル地に限定するものもではなく、キャンパス地のものを用いることも可能であるし、抗菌性能を有する光触媒などの特殊コーティングを行うことも可能である。
【００２０】
マスク収納部２の前面に重なり合うポケットティッシュ収納部３とを有することで、一つの収納容器で、使い捨て衛生マスク１２とポケットティッシュ１３を管理することができ、手提げかばん等の中でマスク等を個々に探す手間や時間を省略することができると共に、異なる収納部に別々に収納することで、これらの衛生状態を保持することが可能となる。
【００２１】
また、ポケットティッシュ収納部３を構成するシートが蛇腹形状であり、その蛇腹の凹部にポケットティッシュ取り出し口３ａを設け、このティッシュ取り出し口３ａが前記蛇腹形状の凸部の重なりにより外部に露出しない構成としたことにより、フィルム状のシート開封後にティッシュが外部と接触することを自動的に防止でき、その衛生状態を保持することがより容易となる。
【００２２】
加えて、ポケットティッシュ収納部３を構成するシートの一枚が、蛇腹状に折り畳んだシートを用いていることにより、そこに収納するポケットティッシュ１３の量を多くしてもその蛇腹を広げることで対応することが可能となる。ポケットティッシュ１３の使用量は個人差が大きいため、ポケットティッシュ１３を多く使用する使用者の場合は、複数のポケットティッシュ１３を一つの収納容器で収めることができる。
【００２３】
マスク収納容器１はマスク収納部２の形状・模様・色彩、及びポケットティッシュ収納部３の形状と色彩より、動物があたかもマスクをしているような印象を使用者に想起させる構成とする。図１にあるマスク収納容器１は、「クマ」を想起させる構成としている。即ち、マスク収納部２は全体として茶色系統のコーティングを施したポリエステル地を用い、上辺の両端部にはクマの耳に相当する布片を縫製し、クマの目に相当する部分に花形のボタンを取り付ける。ポケットティッシュ収納部３は、白系統のコーティングを施したポリエステル地を用い、両側辺にはマスクの耳掛け部分に相当する紐を設ける。
【００２４】
マスク収納部２の前面が、動物の顔を模した形状をなし、前記ポケットティッシュ収納部３がマスクの形態を模した形状をなすことで、動物があたかもマスクをしているような印象を使用者に想起させ、衛生用品の収納を行う収納容器という、この収納容器の用途が明確になり、かつ趣向性に富んだマスク収納容器１を提供することができる。
【００２５】
マスク収納容器１の他の方式を、図４の（ｂ）から（ｈ）に示した。（ｂ）は「カエル」、（ｃ）は「パンダ」、（ｄ）は「ウサギ」、（ｅ）は「ライオン」、（ｆ）は「ブタ」、（ｇ）は「イヌ」、（ｈ）は「ネコ」の顔を模した形状である。マスク収納部２の色はその動物にあわせたものを選択する。動物の顔を模した形状としては、これらにかかわらず他の動物の顔を模したものも本考案に含まれる。
【００２６】
マスク収納容器１の後面には小物収容部４を設ける。使い捨て衛生マスク１２を複数枚携帯する必要がある使用者は、花粉症の時期であれば花粉症に対する飲み薬や目薬を同時に持つことが多く、また風邪の時期であれば飲み薬を同時に持つことが多い。これらを使い捨てマスク１２やポケットティッシュ１３と別々に携帯していると、風邪等の症状が出ている状態で、手提げかばんの中からそれらを探し出すのは手間であると共に時間を要する。そのため、マスク収納容器１の後面に小物収容部４を設けたものである。この小物収容部４の小物出し入れ口４ａは、ファスナーにより開閉が可能な構造とし、マスク収納部１とは別々の袋体を構成するようにする。
【００２７】
マスク収納部２の後面に、小物収納部４を設けたことにより、飲み薬や目薬のように、ティッシュやマスクと同時に携帯する小物についても一つの収納容器で管理することができるようになり、手提げかばん等の中でこれらを探す手間や時間を省略することができると共に、これらの衛生状態をそれぞれ保持することが可能となる。
【００２８】
本実施例によるマスク収納容器１の使用方法を説明する。
まず、マスク出し入れ口２ａから、複数枚の使い捨て衛生マスク１２を入れる。図１では使い捨て衛生マスク１２として示したが、立体形状マスクや、ガーゼマスク等であっても差し支えない。次に蛇腹の凹部に設けたポケットティッシュ取り出し口３ａからポケットティッシュ１３をフィルム状のシートに入れたまま収納する。この場合蛇腹形状であることから多数のポケットティッシュ１３を収納することが可能となる。この場合、フィルム状のシートからポケットティッシュ１３を取り出して、そのままポケットティッシュ収納部３へ収納することも可能である。最後に小物出し入れ口４ａから、飲み薬や目薬を収納する。マスク出し入れ口２ａ及び小物出し入れ口４ａについては、ファスナーによりその口を閉じるが、ポケットティッシュ取り出し口３ａは蛇腹形状の凸部の重なりにより、蛇腹の凹部に形成したティッシュ取り出し口３ａが自動的に閉じた状態となる。このように自動的に閉じた状態となることから、ティッシュが外部と接触することを自動的に防止でき、その衛生状態を保持することがより容易となる。
【００２９】
マスク１２を使用する場合は、使用者がマスク出し入れ口２ａからマスク１２を取り出し、今までに使用していたマスクを廃棄して装着する。ポケットティッシュ１３を使用する場合は、蛇腹形状の凸部の重なりを拡げてポケットティッシュ１３を必要な分量だけ取り出す。飲み薬や目薬を使用する場合は、使用者が小物出し入れ口４ａからそれらを取り出し使用する。
【符号の説明】
【００３０】
１  マスク収納容器
２  マスク収納部
２ａ  マスク出し入れ口
３  ポケットティッシュ収納部
３ａ  ティッシュ取り出し口
４  小物収納部
４ａ  小物出し入れ口
１２  使い捨て衛生マスク
１３  ポケットティッシュ
１４  飲み薬
【図１】
0003173184.tif 000003
【図２】
0003173184.tif 000004
【図３】
0003173184.tif 000005
【図４】
0003173184.tif 000006